(57)【要約】電気光学ディスプレイ、詳細には有機発光ダイオードを使用したアクティブマトリックスディスプレイのためのディスプレイドライバ回路である。ディスプレイドライバ回路は、ドライブ電圧に従って電気光学エレメントをドライブするドライバと、電気光学ディスプレイエレメントに光結合された、到達する照度に応じた電流を流す感光性デバイスと、感光性デバイスとデータ線の間に結合された、第1の制御線上の第1の制御信号に応答して感光性デバイスをデータ線に結合する第1の制御デバイスと、感光性デバイスとドライバの間に結合された、第2の制御線上の第2の制御信号に応答して感光性デバイスをドライバに結合する第2の制御デバイスとを備えている。この回路は、異なる多くのモードで動作させることができるため、有機LEDピクセルなどの電気光学ディスプレイエレメントの柔軟な制御が提供される。
2005507512.tif 000002
【特許請求の範囲】
【請求項１】
電気光学ディスプレイのエレメントをドライブするための、第1および第2の制御線およびデータ線を有するディスプレイエレメントドライバ回路であって、
ドライブ電圧に従って前記電気光学ディスプレイエレメントをドライブするドライバと、
前記電気光学ディスプレイエレメントに光結合された、到達する照度に応じた電流を流す感光性デバイスと、
前記感光性デバイスと前記データ線の間に結合された、前記第1の制御線上の第1の制御信号に応答して前記感光性デバイスを前記データ線に結合する第1の制御デバイスと、
前記感光性デバイスと前記ドライバの間に結合された、前記第2の制御線上の第2の制御信号に応答して前記感光性デバイスを前記ドライバに結合する第2の制御デバイスとを備えたディスプレイエレメントドライバ回路。
【請求項２】
前記第2の制御デバイスに結合された、前記ドライバのドライブ電圧を記憶するための記憶素子をさらに備えた、請求項1に記載のディスプレイエレメントドライバ回路。
【請求項３】
前記記憶素子がキャパシタからなる、請求項2に記載のディスプレイエレメントドライバ回路。
【請求項４】
前記ドライバが電界効果トランジスタ(FET)からなり、前記キャパシタが前記FETのゲート容量からなる、請求項3に記載のディスプレイエレメントドライバ回路。
【請求項５】
前記第1および第2の制御デバイスがそれぞれFETスイッチからなる、請求項1から4のいずれか一項に記載のディスプレイエレメントドライバ回路。
【請求項６】
関連する、請求項1から5のいずれか一項に記載のディスプレイエレメントドライバ回路を個々に有する複数の電気光学ディスプレイエレメントを備えたアクティブマトリックスディスプレイ。
【請求項７】
前記データ線をデータ線ドライバおよび信号センス回路に選択的に結合するスイッチをさらに備えた、請求項6に記載のアクティブマトリックスディスプレイ。
【請求項８】
前記ディスプレイを複数のモードで動作させるべく、前記第1および第2の制御線をドライブする制御回路をさらに備えた、請求項6または7に記載のアクティブマトリックスディスプレイ。
【請求項９】
前記複数のモードに周辺光補償モードが含まれ、前記ディスプレイへのデータの書込みに先立って周辺光レベルを測定するべく、前記制御回路が前記ディスプレイエレメントドライバ回路を制御する、請求項8に記載のアクティブマトリックスディスプレイ。
【請求項１０】
前記複数のモードに電流ドライバモードが含まれ、前記データ線に流れる基準電流によって前記ディスプレイエレメントの輝度が設定される、請求項8または9に記載のアクティブマトリックスディスプレイ。
【請求項１１】
前記複数のモードに第1の電圧ドライブモードが含まれ、前記データ線上の電圧によって前記ディスプレイエレメントの輝度が設定される、請求項8、9または10に記載のアクティブマトリックスディスプレイ。
【請求項１２】
前記複数のモードに第2の電圧ドライブモードが含まれ、それにより前記データ線上の電圧によって前記ディスプレイエレメントの輝度が設定され、また、前記ディスプレイエレメントがオンの間、前記感光性エレメントと前記ドライバを結合するべく前記第2の制御線がドライブされる、請求項8から11のいずれか一項に記載のアクティブマトリックスディスプレイ。
【請求項１３】
パターンセンス入力モードをさらに含み、前記ディスプレイから光パターンを入力するべく、前記制御回路が、対応する複数の前記ディスプレイエレメントと結合した複数の前記感光性デバイスを使用して前記ディスプレイエレメントドライバ回路を制御する、請求項8から12のいずれか一項に記載のアクティブマトリックスディスプレイ。
【請求項１４】
前記電気光学ディスプレイエレメントが有機発光ダイオードからなる、請求項1から5のいずれか一項に記載のディスプレイエレメントドライバ回路、または請求項6から13のいずれか一項に記載のアクティブマトリックスディスプレイ。
【請求項１５】
請求項1から5のいずれか一項に記載のディスプレイエレメントドライバ回路を動作させる方法であって、
前記感光性デバイスを前記データ線に結合するべく前記回路を制御するステップと、
前記感光性デバイスを使用して光レベルを測定するステップと、
前記ドライバを前記データ線に結合するべく前記回路を制御するステップと、
前記測定に応じた信号を使用して前記データ線をドライブするステップとを含む方法。
【請求項１６】
請求項1から5のいずれか一項に記載のディスプレイエレメントドライバ回路を動作させる方法であって、
前記第1および第2の制御信号を共にアサートし、かつ、共にアサートを解除するべく、前記第1および第2の制御線を制御するステップと、
前記ドライバ、前記感光性デバイスおよび前記データ線がすべて結合されると、前記ディスプレイエレメントの輝度を設定するべく基準電流を使用して前記データ線をドライブするステップとを含む方法。
【請求項１７】
請求項1から5のいずれか一項に記載のディスプレイエレメントドライバ回路を動作させる方法であって、
前記第1および第2の制御信号を共にアサートし、かつ、共にアサートを解除するべく、前記第1および第2の制御線を制御するステップと、
前記ドライバ、前記感光性デバイスおよび前記データ線がすべて結合されると、前記ディスプレイエレメントの輝度を設定するべく基準電圧を使用して前記データ線をドライブするステップとを含む方法。
【請求項１８】
前記感光性デバイスを前記データ線に結合するべく前記回路を制御するステップと、
前記感光性デバイスを使用して光レベルを測定するステップと、
前記ドライバを前記データ線に結合するべく前記回路を制御するステップとをさらに含み、前記ドライブするステップが、前記測定に応じた信号を使用して前記データ線をドライブする、請求項16または17に記載の方法。
【請求項１９】
請求項1から5のいずれか一項に記載のディスプレイエレメントドライバ回路を動作させる方法であって、
前記第2の制御信号をアサートし、それにより前記感光性デバイスを前記ドライバに結合するべく前記第2の制御線を制御するステップと、
前記感光性デバイスを前記データ線に結合し、それにより前記ディスプレイエレメントを選択するべく前記第1の制御線を制御するステップと、
前記ドライバ、前記感光性デバイスおよび前記データ線がすべて結合されると、前記ディスプレイエレメントの輝度を設定するべく基準電圧を使用して前記データ線をドライブするステップと、
前記感光性デバイスと前記データ線の結合を解除し、それにより前記ディスプレイエレメントの選択を解除するべく前記第1の制御線を制御し、かつ、前記感光性デバイスと前記ドライバの結合を維持するべく前記第2の制御信号を維持するステップとを含む方法。
【請求項２０】
関連する、請求項1から5のいずれか一項に記載のディスプレイエレメントドライバ回路を個々に有する複数のディスプレイエレメントを備えたアクティブマトリックスディスプレイを光パターンセンサとして動作させる方法であって、
各ディスプレイエレメントの前記感光性デバイスを対応するデータ線に結合するべく、複数の前記ディスプレイエレメントの前記ディスプレイエレメントドライバ回路を制御するステップと、
各感光性デバイスの前記データ線を使用して前記ディスプレイから光パターンデータを読み取るステップとを含む方法。
【請求項２１】
アクティブマトリックスエレクトロルミネセンスディスプレイのピクセルからの光出力を制御する方法であって、前記ピクセルが、エレクトロルミネセンスディスプレイエレメントおよび前記エレクトロルミネセンスディスプレイエレメントに光結合された光センサを備え、それにより前記エレクトロルミネセンスディスプレイエレメントの光出力を制御するための光フィードバック経路が提供され、前記方法が、
前記光センサを使用して周辺光レベルを測定するステップと、
前記周辺光レベルを補償するべく修正されたピクセルに光レベル信号を書き込むステップとを含む方法。
【請求項２２】
前記測定に先立って初期暗レベル信号を前記ディスプレイエレメントすなわちピクセルに書き込むステップをさらに含む、請求項15、18または21に記載の方法。
【発明の詳細な説明】
【技術分野】
【０００１】
本発明は一般に電気光学ディスプレイのためのディスプレイドライバに関し、より詳細にはアクティブマトリックス有機発光ダイオードディスプレイをドライブするための回路に関する。
【背景技術】
【０００２】
有機発光ダイオード(OLED)は、複数の有利な形態の電気光学ディスプレイからなっている。OLEDは明るく、かつ、色彩に富み、また、スイッチングが高速であり、広い視角を提供している。また、OLEDは、様々な基板上に容易かつ安価に製造することができる。有機LEDは、使用材料に応じて、重合体または微小分子のいずれかを一連の色彩(あるいは多重着色ディスプレイ)に使用して製造することができる。WO 90/13148、WO 95/06400およびWO 99/48160に、重合体ベース有機LEDの例が記載されている。また、US 4,539,507に、いわゆる微小分子ベースデバイスの例が記載されている。
【０００３】
図1aは、典型的な有機LEDの基本構造100を示したものである。ガラス製またはプラスチック製の基板102が、例えばインジウム-スズ酸化物(ITO)からなる透明陽極層104を支えており、陽極層104の上に、正孔輸送層106、エレクトロルミネセンス層108および陰極110が付着されている。エレクトロルミネセンス層108は、例えばPPV(ポリ(p-フェニレンビニレン))からなり、また、陽極層104とエレクトロルミネセンス層108のホールエネルギー準位の整合を促進している正孔輸送層106は、例えばPEDOT:PSS(ポリスチレン-スルホナート-ドープドポリエチレン-ジオキシチオフェン)からなっている。陰極層110は、典型的にはカルシウムなどの低仕事関数金属からなり、エレクトロルミネセンス層108の直ぐ隣に、電子エネルギー準位の整合を改善するための例えばアルミニウム層などの追加層を設けることができる。陽極および陰極にそれぞれ接続されているコンタクトワイヤ114および116は、電源118への接続を提供している。微小分子デバイスにも同じ基本構造を使用することができる。
【０００４】
図1aに示す例では、光120は、透明陽極104および基板102を通して放出されており、このようなデバイスは、「ボトムエミッタ」と呼ばれている。また、陰極を通して放出するデバイスを構築することも可能であり、例えば陰極層110の厚さを約50〜100nm未満に維持することにより、陰極は実質的に透明になる。
【０００５】
有機LEDは、単一または多色ピクセル化ディスプレイを形成するべく、基板上にピクセルのマトリックスで付着させることができる。多重着色ディスプレイは、赤、緑および青を放出するピクセルのグループを使用して構築することができる。このようなディスプレイの場合、通常、ピクセルを選択するべく行(または列)線を起動することによって個々のエレメントがアドレスされ、かつ、ディスプレイを生成するべく複数の行(または列)のピクセルが書き込まれる。このような構造の場合、他のピクセルがアドレスされている間、ピクセルに書き込むデータが保持されるよう、個々のピクセルと結合した記憶素子を有していることが望ましいことは理解されよう。通常、これは、ドライバトランジスタのゲートに設定されている電圧を記憶する記憶キャパシタ（storage capacitor）によって達成される。このようなデバイスは、アクティブマトリックスディスプレイと呼ばれ、WO 99/42983およびEP 0,717,446Aに、重合体および微小分子アクティブマトリックスディスプレイの例がそれぞれ記載されている。
【０００６】
図1bは、典型的なこのようなOLEDドライバ回路150を示したものである。回路150は、ディスプレイの各ピクセルに設けられ、ピクセルを相互接続するための接地母線152、VSS母線154、行選択母線164および列データ母線166が提供されている。したがってピクセル毎に電力接続および接地接続を有しており、また、ピクセルの行の各々は共通行選択線164を有し、ピクセルの列の各々は共通データ線166を有している。
【０００７】
ピクセルの各々は、接地線152と電力線154の間に、ドライバトランジスタ158と直列に接続された有機LED156を有している。ドライバトランジスタ158のゲート接続159は記憶キャパシタ160に接続され、制御トランジスタ162は、行選択線164の制御の下に、ゲート159を列データ線166に結合している。トランジスタ162は電界効果トランジスタ(FET)スイッチであり、行選択線164が起動されると、列データ線166をゲート159およびキャパシタ160に接続している。したがってスイッチ162がオンすると、列データ線166の電圧がキャパシタ160に記憶される。この電圧は、ドライバトランジスタ158に対するゲート接続のインピーダンスが比較的大きく、また、スイッチトランジスタ162が「オフ」状態にあるため、少なくともフレームリフレッシュ期間の間、キャパシタに保持される。
【０００８】
ドライバトランジスタ158は、通常、FETトランジスタであり、閾値電圧未満のトランジスタゲート電圧に応じた(ドレイン-ソース)電流を流している。したがって、ゲートノード159の電圧がOLED156を流れる電流を制御し、延いてはOLEDの輝度を制御している。
【０００９】
図1bに示す標準電圧制御回路には多くの欠点がある。主な問題は、OLED156の輝度が、OLEDの特性およびOLEDをドライブしているトランジスタ158の特性に左右されることによるものである。通常、これらの特性は、ディスプレイの面積全体に渡って、時間および温度によって変化し、また、経年変化するため、列データ線166上の所与の電圧でドライブした場合に、ピクセルの明るさがどの程度の明るさになるかを実際に予測することが困難である。また、カラーディスプレイの場合、これらの変化は色表現の精度にも影響を及ぼしている。
【００１０】
図2aおよび2bは、これらの問題に部分的に対処した2つの回路を示したものである。図2aは、電流制御ピクセルドライバ回路200を示したもので、基準電流シンク224を使用してOLEDドライバトランジスタ212のドレイン-ソース電流を設定し、かつ、このドレイン-ソース電流に必要なドライバトランジスタゲート電圧を記憶することにより、OLED216を流れる電流が設定される。したがってOLED216の輝度は、アドレスされているピクセルの必要に応じて設定される調整可能基準電流シンク224に流れ込む電流Icol'によって決定される。ピクセルの各々に対してではなく、列データ線210毎に1つの電流シンク224が提供されていることは理解されよう。
【００１１】
より詳細には、図1bの電圧制御ピクセルドライバを参照して説明したように、電力線202、204、列データ線210および行選択線206が提供されている。その他に、行選択線206がローのときハイになり、また、行選択線206がハイのときローになる反転行選択線208が提供されている。ドライバトランジスタ212のゲート接続には、必要なドレイン-ソース電流を流すべく、該トランジスタをドライブするためのゲート電圧を記憶する記憶キャパシタ218に結合されている。ドライバトランジスタ212およびOLED216は、電力線204と接地線202の間に直列に接続されている。また、ドライバトランジスタ212とOLED216の間には、反転行選択線208に結合されたゲート接続を有する別のスイッチングトランジスタ214が接続されている。さらに別の2つの別のスイッチングトランジスタ220、222は、非反転行選択線206によって制御されている。
【００１２】
図2aに示す電流制御ピクセルドライバ回路200の実施形態では、トランジスタはすべてPMOSである。安定性により優れ、また、熱電子効果に対する耐性がより良好であるため、PMOSトランジスタであることが好ましいが、NMOSトランジスタを使用することも可能である。これは、以下で説明する本発明による回路についても同様である。
【００１３】
図2aに示す回路では、トランジスタのソース接続はGNDに向かって接続されており、現世代のOLEDデバイスの場合、通常、VSSは約-6ボルトである。したがって、行が起動されると、行選択線206が-20ボルトにドライブされ、かつ、反転行選択線208が0ボルトにドライブされる。
【００１４】
行選択が起動されると、トランジスタ220および222がターンオンし、トランジスタ214がターンオフする。回路が安定状態に到達すると、電流シンク224に流れ込んでいる基準電流Icol'は、トランジスタ222およびトランジスタ212(トランジスタ212のゲートは、高インピーダンスを提供している)を通って流れる。したがって、トランジスタ212のドレイン-ソース電流は、電流シンク224によって設定される基準電流に実質的に等しく、また、このドレイン-ソース電流に必要なゲート電圧がキャパシタ218に記憶される。次に、行選択が非起動状態になると、トランジスタ220および222がターンオフし、トランジスタ214がターンオンするため、この同じ電流が今度はトランジスタ212、トランジスタ214およびOLED216を通って流れる。したがってOLEDに流れる電流は、基準電流シンク224によって設定される電流と実質的に同じになるように制御される。
【００１５】
通常、この定常状態に到達するまでの間、キャパシタ218の電圧は、必要な電圧とは異なっており、したがってトランジスタ212は、基準シンク224によって設定される電流Icolに等しいドレイン-ソース電流を流すことはできない。このような不整合が存在している場合、基準電流とトランジスタ212のドレイン-ソース電流の差に等しい電流が、トランジスタ220を介してキャパシタ218に流れ込み、かつ、流出するため、それによりトランジスタ212のゲート電圧が変化する。このゲート電圧は、トランジスタ212のドレイン-ソース電流がシンク224によって設定される基準電流と等しくなり、それにより不整合が除去され、トランジスタ220を通って流れる電流がなくなるまで変化する。
【００１６】
OLED216に流れる電流をピクセルドライバトランジスタ212の特性の変化に無関係に設定することができるため、図2aに示す回路によって図1bに示す電圧制御回路が抱えている問題のいくつかが解決されるが、図2aに示す回路は、依然として、ピクセル間およびアクティブマトリックスディスプレイデバイス間におけるOLED216の特性の変化、および時間によるOLED216の特性の変化による影響を受けやすい回路である。OLEDに特有の問題は、OLEDをドライブする電流に応じて、その光出力が時間と共に減少する傾向があることである(これは、OLEDを通過する電子に関連している)。このような劣化は、特に、ピクセル近傍の相対輝度を容易に比較することができるピクセル化ディスプレイの場合に顕著である。図2aに示す回路が抱えている他の問題は、OLED216に流れる基準電流Icolに等しい電流を処理するべく、トランジスタ212、214および222の各々を物理的に十分に大きくしなければならないことに起因している。一般的に大型トランジスタは望ましくなく、また、アクティブマトリックスデバイスの構造によっては、大型トランジスタはピクセルの領域部分の使用を妨げている。
【００１７】
これらの追加問題に対処する試みの一環として、光フィードバックを使用してOLED電流を制御する試行が数多くなされている。WO 01/20591、EP 0,923,067A、EP 1,096,466AおよびJP 5-035,207にこれらの試行が記載されているが、基本的にはすべて同じ技法が使用されている。図2bは、記憶キャパシタの両端間にフォトダイオードを接続する技法を示したもので、WO 01/20591から取ったものである。
【００１８】
図2bは、光フィードバック252を備えた電圧制御ピクセルドライバ回路250を示したものである。図2bに示すドライバ回路250の主要コンポーネントは、図1bに示す回路150の主要コンポーネントに対応している。つまり、OLED254はドライバトランジスタ256と直列に接続され、ドライバトランジスタ256のゲートに記憶キャパシタ258が接続されている。スイッチトランジスタ260は行導体262によって制御され、スイッチトランジスタ260がスイッチオンのとき、列導体264に電圧信号を印加することにより、キャパシタ258の電圧を設定することができる。また、フォトダイオード266は記憶キャパシタ258の両端間に接続されているが、逆バイアスされているため、暗闇ではフォトダイオード266は基本的に非導通であり、照明の程度に応じて若干の逆コンダクタンスを示す。ピクセルの物理構造は、OLED254がフォトダイオード266を照射するような構造になっており、それにより光フィードバック経路252が提供される。
【００１９】
フォトダイオード266を流れる光電流は、OLED254の瞬時光出力レベルにほぼ直線的に比例している。したがって、キャパシタ258に蓄積されている電荷すなわちキャパシタの両端間の電圧およびOLED254の輝度は、時間と共にほぼ指数関数的に崩壊する。したがってOLED254の積分光出力、つまり放出される光子の総数すなわちOLEDピクセルの知覚輝度は、キャパシタ258に記憶されている初期電圧によってほぼ決定される。
【００２０】
図2bに示す回路によって、ドライバトランジスタ256およびOLED254の直線性および可変性に関連する前述の問題が解決されるが、実際の実施態様にはいくつかの重大な欠点がある。主な欠点は、フレーム期間を超えると記憶キャパシタ258が放電するため、ディスプレイのすべてのピクセルをフレーム毎にリフレッシュしなければならないことである。この点に関して、この場合も、OLED254から放出される光パルスをフレーム期間を超えて拡張させることができないため、図2bに示す回路には経年変化による影響を補償する能力に限界がある。同様に、OLED254はパルスでオンおよびオフされるため、所与の光出力に対して高い電圧でOLED254を動作させなければならず、そのために回路の効率が悪くなる傾向がある。また、キャパシタ258は非直線性を示すことがしばしばであり、したがって蓄積される電荷は必ずしも列導体264に印加される電圧に直線的に比例していない。この非直線性が、フォトダイオード266が受け取る照度のレベルによって決まる光電流(すなわち電荷)をフォトダイオード266が流す際のピクセルの電圧-輝度の関係を非直線的にしている。
【００２１】
光フィードバックを使用する場合の他の問題は、関連するコンポーネントの物理レイアウトには十分に慎重でなければならず、そうでない場合、フィードバック応答に悪影響を及ぼす周辺光による危険性の問題である。最後に、従来技術によるすべての設計には、動作上の柔軟性が欠如している。
【特許文献１】
WO 90/13148
【特許文献２】
WO 95/06400
【特許文献３】
WO 99/48160
【特許文献４】
US 4,539,507
【特許文献５】
WO 99/42983
【特許文献６】
EP 0,717,446A
【特許文献７】
WO 01/20591
【特許文献８】
EP 0,923,067A
【特許文献９】
EP 1,096,466A
【特許文献１０】
JP 5-035,207
【特許文献１１】
EP 880303
【特許文献１２】
WO 99/54936
【特許文献１３】
英国特許出願第0121077.2号
【発明の開示】
【発明が解決しようとする課題】
【００２２】
したがって、前述の問題に対処する、有機LEDのための改良型ディスプレイドライバ回路が必要である。
【課題を解決するための手段】
【００２３】
したがって、本発明の第1の態様によれば、電気光学ディスプレイのエレメントをドライブするための、第1および第2の制御線およびデータ線を有するディスプレイエレメントドライバ回路が提供される。このディスプレイエレメントドライバ回路は、ドライブ電圧に従って電気光学ディスプレイエレメントをドライブするドライバと、電気光学ディスプレイエレメントに光結合された、到達する照度に応じた電流を流す感光性デバイスと、感光性デバイスとデータ線の間に結合された、第1の制御線上の第1の制御信号に応答して感光性デバイスをデータ線に結合する第1の制御デバイスと、感光性デバイスとドライバの間に結合された、第2の制御線上の第2の制御信号に応答して感光性デバイスをドライバに結合する第2の制御デバイスとを備えている。
【００２４】
この構成により、必要なディスプレイ機能、周辺光の状態および他の要因に応じて、多数の異なるモードでドライバ回路を動作させる柔軟性が提供される。これらの異なる動作モードについては以下でより詳細に説明するが、これらの異なる動作モードが、ドライバ回路による例えば明るい照明の下での第1のモードでの動作、およびより薄暗い周辺光の下での第2のモードでの動作を可能にしている。また、感光性デバイスを実質的にドライバから切り離すことができるため、例えばスキャナのセンサとしてディスプレイを動作させるべく、電気光学ディスプレイのピクセルのドライブと、画像の知覚すなわち読取りのための両方に同じ回路を使用することができる。感光性デバイスを同様の方法で使用して、ピクセルをスイッチオンする前に、ピクセルと結合している周辺光レベルを測定することも可能であり、それにより、周辺光レベルを補償するべくピクセルの輝度を設定することができ、また、詳細には、ピクセルの輝度を設定するべくドライバ回路に書き込むデータに、電気光学ディスプレイエレメントと感光性デバイスの間の光結合に対する周辺光の影響を考慮することができる。
【００２５】
通常、ドライバの入力は、関連する若干の入力容量を有しているが、本発明によるディスプレイエレメントドライバ回路は、ドライバの入力部および第2の制御デバイスに結合された、ディスプレイエレメントのドライブ電圧を記憶する追加記憶素子を備えることができる。このような記憶素子はキャパシタからなっていることが好ましく、例えばマイクロディスプレイの場合、ディジタルキャパシタを使用することができる。このキャパシタは、ドライバの入力部に接続された電界効果トランジスタのゲートに統合することができる。第1および第2の制御デバイスは、一対の制御可能スイッチを提供するべく、それぞれ電界効果トランジスタ(FET)からなっていることが好ましく、それによりドライバ回路の集積化が簡易化される。
【００２６】
複数のピクセルを備えたアクティブマトリックスディスプレイは、個々のピクセルにこのようなディスプレイエレメントドライバ回路を備えることによって構築することができる。データ線は、ディスプレイの列(または行)線に接続することができ、また、制御線は、行(または列)制御回路に接続することができる。好ましい実施形態では、データ線に接続された個々の列(または行)線にスイッチが設けられており、それにより、データ線に電圧または電流をドライブするべくデータ線をデータ線ドライバに接続するか、あるいは個々のピクセルに結合された感光性デバイスから1つまたは複数の照度レベルを読み取るべくデータ線を測定回路に接続することができる。また、このような測定回路を使用して感光性デバイスの正しい動作をチェックし、それにより、例えば漏れ電流を確実に許容閾値未満にすることができる。
【００２７】
また、このようなアクティブマトリックスディスプレイは、第1および第2の制御線をドライブし、ディスプレイを複数のモードで動作させるための制御回路を備えていることが好ましい。回路にデバイスを導入することによってこれらのモードの1つまたは複数を選択することができ、また、有効なハードワイヤリングを施すことにより、例えば優勢な動作条件に基づいてモード選択すなわち動作モードを動的に選択することができる。
【００２８】
1動作モードでは、ディスプレイへのデータの書込みに先立って、周辺光レベルを測定するべくディスプレイのピクセルが制御される。データは、回路を電流制御モードまたは電圧制御モードのいずれかのモードで使用して書き込むことができ、電圧制御モードで使用する場合、光フィードバックは有ってもなくてもよい。したがって、例えば周囲照明が明るい場合、初期測定サイクルを備えた電流制御モードを使用し、また、周囲照明が薄暗い状態の場合、図2bを参照して説明した線に沿った光フィードバックを備えた電圧制御モードを使用することができる。電圧制御モードで使用する場合、測定サイクルは有ってもなくてもよい。
【００２９】
また、ディスプレイのピクセルのためのドライバ回路を任意の上記モードと共に使用して、例えば適切なドライブ電圧が記憶素子によって記憶されると、感光性デバイスをイメージセンサまたはスキャナとして使用するべく構成することもできる。また、このモードを使用して、例えば、ディスプレイから読み取る光パターンが、例えば指の先端によって周囲の照明から遮蔽された表示領域に対応する暗くなった画面領域を検出するだけの十分な解像度を有している接触感応ディスプレイを提供することもできる。別法としては、先端が反射型のスタイラスを使用し、1つのピクセルの感光性デバイスを使用して、先端で散乱する、隣接するピクセルからの光を測定することができる。光フィードバック信号からのこの信号の逆たたみ込みは、例えば隣接するピクセルから当該ピクセル領域へのフィードバック(反射光)をモニタすることによって達成することができる。別法としては、感光性デバイスに対するフィードバックが大きくなっているため、先行するオペレーションサイクルにおける電圧ドライブより著しく低減された電圧ドライブを、必要な所与の光電流に対して使用することもできる。
【００３０】
また、関連する態様では、本発明により、上で説明したディスプレイエレメントドライバ回路を動作させる方法が提供される。この方法には、前記感光性デバイスを前記データ線に結合するべく前記回路を制御するステップと、前記感光性デバイスを使用して光レベルを測定するステップと、前記ドライバを前記データ線に結合するべく前記回路を制御するステップと、前記測定に応じた信号を使用して前記データ線をドライブするステップが含まれている。
【００３１】
感光性デバイスを使用して光レベルを測定することにより、制御回路は、測定した光レベルを補償し、延いては、周囲の照明によって、あるいは近傍の他の放出電気光学ディスプレイエレメントによって、もしくはその両方によってもたらされる背景の光レベルを補償するべくデータ線をドライブすることができる。上記方法には、精度を改善するべく、光レベルの測定に先立ってディスプレイエレメントをスイッチオフし、かつ、近傍の他のディスプレイエレメントを任意選択でスイッチオフするステップが含まれていることが好ましい。この方法は、ディスプレイエレメントへの複数の回路動作モードの中から選択されたモードでの光レベル信号の書込みに先立って使用することができる。
【００３２】
第1の動作モードでは、ディスプレイエレメントドライバ回路は、前記第1および第2の制御信号を共にアサートし、かつ、共にアサートを解除するべく前記第1および第2の制御線を制御し、また、前記ドライバ、前記感光性デバイスおよび前記データ線がすべて結合されると、前記ディスプレイエレメントの輝度を設定するべく基準電流を使用して前記データ線をドライブすることによって動作する。
【００３３】
第2の動作モードでは、ディスプレイエレメントドライブ回路は、前記第1および第2の制御信号を共にアサートし、かつ、共にアサートを解除するべく前記第1および第2の制御線を制御し、また、前記ドライバ、前記感光性デバイスおよび前記データ線がすべて結合されると、前記ディスプレイエレメントの輝度を設定するべく基準電圧を使用して前記データ線をドライブすることによって動作する。
【００３４】
第3の動作モードでは、ディスプレイエレメントドライバ回路は、前記第2の制御信号アサートし、それにより感光性デバイスをドライバに結合するべく前記第2の制御線を制御し、また、ディスプレイエレメントを選択するべく前記第1の制御線を制御して感光性デバイスをデータ線に結合し、さらに、前記ドライバ、前記感光性デバイスおよび前記データ線がすべて結合されると、前記ディスプレイエレメントの輝度を設定するべく基準電圧を使用して前記データ線をドライブすることによって動作し、また、ディスプレイエレメントの選択を解除するべく前記第1の制御線を制御して感光性デバイスとデータ線の結合を解除し、かつ、前記感光性デバイスと前記ドライバの結合を維持するべく前記第2の制御信号を維持することによって動作する。
【００３５】
また、本発明により、関連するディスプレイエレメントドライバ回路を個々に有する複数のディスプレイエレメントを備えたアクティブマトリックスディスプレイを光パターンまたはイメージセンサとして動作させる方法が提供される。この方法には、各ディスプレイエレメントの感光性デバイスを対応するデータ線に結合するべく、複数の前記ディスプレイエレメントのディスプレイエレメントドライバ回路を制御するステップと、各感光性デバイスのデータ線を使用してディスプレイから光パターンデータを読み取るステップが含まれている。
【００３６】
他の態様では、本発明により、アクティブマトリックスエレクトロルミネセンスディスプレイのピクセルの光出力を制御する方法が提供される。このピクセルは、エレクトロルミネセンスディスプレイエレメントの光出力を制御するための光フィードバック経路を提供するべく、エレクトロルミネセンスディスプレイエレメントおよび該エレクトロルミネセンスディスプレイエレメントに光結合された光センサを備えている。上記方法には、光センサを使用して周辺光レベルを測定するステップと、前記周辺光レベルを補償するべく修正されたピクセルに光レベル信号を書き込むステップが含まれている。
【００３７】
本発明による上記すべての態様では、電気光学ディスプレイエレメントまたはエレクトロルミネセンスディスプレイエレメントは、有機発光ダイオードを備えていることが好ましい。
【００３８】
以下、単なる実施例に過ぎないが、本発明のこれらおよびその他の態様について、添付の図を参照して詳細に説明する。
【発明を実施するための最良の形態】
【００３９】
図3を参照すると、多数の異なるモードで動作させることができる有機LEDドライバ回路300が示されている。アクティブマトリックスディスプレイの場合、通常、このようなドライバ回路が個々のピクセルに設けられており、さらに、個々の行を所望の輝度に設定するべくピクセルを行毎にアドレスするための回路(図示せず)が設けられている。ドライバ回路およびOLEDディスプレイエレメントに電力を供給し、かつ、制御するために、アクティブマトリックスディスプレイは、図に示すように、接地(GND) 線302、電力線すなわちVSS線304、行選択線306、307および列データ線308からなる電極の格子を備えている。
【００４０】
図に示す実施形態では、列データ線308はスイッチ330に接続され、基準電流源(すなわちシンク)324または測定回路328のいずれかに選択的に結合されている。基準電流源(すなわちシンク)324は、以下でより詳細に説明するように、ピクセルの輝度を設定するべく、列データ線308に流れる電流を所望のレベルに調整することができるよう、プログラム可能（programmable）定電流発生器であることが好ましいが、他の実施形態では、ドライバ回路を他のモードで使用することができるよう、電流発生器324とは別に、あるいは電流発生器324の代替として、プログラム可能電圧発生器が使用されている。測定回路328は、列データ線308がスイッチ330によって測定回路に接続された場合に、ドライバ回路を使用した周辺光レベルの測定を可能にしている。行ドライバ回路332は、ドライバ回路300の動作モードに従って第1および第2の行選択線306および307を制御している。ドライバ回路300は、GND線302とVSS線304の間に、有機LEDディスプレイエレメント312に直列に接続されたドライバトランジスタ310を備えている。トランジスタ310のゲートに統合することができる記憶キャパシタ314は、OLEDエレメント312に流れるドライブ電流を制御するべく、記憶されているゲート電圧に対応する電荷を蓄積している。
【００４１】
ドライバの制御回路は、第1および第2の選択線306および307にそれぞれ結合された、独立して制御することができるゲートを個々に備えた2つのスイッチングトランジスタ320、322を備えている。フォトダイオード316は、トランジスタ320と322の間のノード317に結合されている。トランジスタ320は、列データ線308へのノード317のスイッチ接続を提供している。トランジスタ322は、記憶キャパシタ314およびトランジスタ310のゲートが接続されたノード315へのノード317のスイッチ接続を提供している。図3に示す回路では、トランジスタはすべてPMOSである。
【００４２】
フォトダイオード316は、GND線302と線317の間に結合されているため、逆バイアスされている。フォトダイオードは、OLED312とフォトダイオード316の間に光フィードバック経路318が存在するよう、OLEDディスプレイエレメント312に対して物理的に配置されている。つまり、OLED312がフォトダイオード316を照射し、それによりフォトダイオード316を介して、GND線302からVSSへ向かう逆方向に照度依存電流が流れる。技術者には理解されるように、大ざっぱに言えば、個々の光子が光電流に寄与し得る電子をフォトダイオード316内で生成している。
【００４３】
第1の選択線306が起動状態（active）になるとトランジスタ320がオン(つまりスイッチが「クローズ」)し、列データ線308とノード317の間の接続インピーダンスが比較的小さくなる。第1の選択線306が非起動状態（inactive）になるとトランジスタ320がスイッチオフし、事実上、フォトダイオード316が列データ線308から切り離される。第2の選択線307が起動状態になるとトランジスタ322がスイッチオンし、ノード315と317が結合する。第2の選択線307が非起動状態になるとトランジスタ322がスイッチオフし、事実上、ノード315がノード317から切り離される。
【００４４】
トランジスタ320および322が共にスイッチオフすると(つまり、第1および第2の選択線306および307がいずれも非起動状態にある場合)、事実上、フォトダイオード316がドライバ回路の残りの部分から切り離されることが分かる。同様に、トランジスタ322がオフ (第2の選択線307が非起動状態) で、かつ、トランジスタ320がオン(第1の選択線306が起動状態)の場合、フォトダイオード316は、事実上、接地(GND)線302と列データ線308の間に接続される。この方法によれば、事実上、フォトダイオード316をドライバ回路の残りの部分から切り離すことができ、また、列データ線308がスイッチ330によって測定回路328に接続されると、フォトダイオード316をセンサとして使用して局部周辺光レベルを測定することができる。この局部周辺光レベルは、局部ディスプレイ環境における周辺光の状態によるものであり、あるいはOLED312または隣接するピクセル中の対応するOLEDから放出される光によるものである。別法としては、複数のピクセルのフォトダイオードを使用して、ディスプレイを使用した画像パターンを読み取ることもできる。
【００４５】
ドライバ回路300は、光フィードバックを備えた電流制御モード、光フィードバックを備えた電圧制御モード、および光フィードバックのない電圧制御モードで動作させることができる。これらの任意のモードあるいはすべてのモードを光測定モードと共に使用して、ピクセルへのデータの書込みに先立って周辺光を測定することができ、あるいはピクセルへのデータの書込み後に画像を入力することができる。
【００４６】
第1の動作モードでは、第1および第2の選択線306および307が1つに接続されるか、あるいは行ドライバ332によって直列にドライブされるため、回路は、光フィードバックを備えた電流制御ドライバとして動作する。スイッチ330が図3に示す位置にある場合、プログラム可能基準電流発生器324は、Icolと呼ばれる基準電流をオフ-ピクセルVSS接続326に流すべく試行する。このモードでは、線317は、電流Isenseを流す電流センス線と呼ぶことができ、また、線315は、OLED312を制御するための電圧をキャパシタ314に設定するべく電流Ierrorを流す制御線と呼ぶことができる。第1および第2の(行)選択線306および307が起動状態になると、トランジスタ320および322がオンしてIcol=Isense+Ierrorになるため、OLED312がフォトダイオード316を照射してIsense=Icolになるまで電流Ierrorがキャパシタ314に流入するか、あるいはキャパシタ314から流出する。Isense=Icolになると、第1および第2の行選択線306および307の起動状態が解除され、このレベルの輝度に必要な電圧がキャパシタ314に記憶される。
【００４７】
キャパシタ314の電圧が安定するまでに要する時間は、所望するデバイスの特性に応じて変化する多くの要因によって異なるが、通常、数ミリ秒である。大ざっぱに言えば、典型的なOLEDドライブ電流は1μA程度であり、一方、典型的な光電流は、この約0.1%すなわち1nA程度である(部分的にはフォトダイオード面積によって決まる)。したがって、トランジスタ320および322の電力処理要求事項は、ドライブトランジスタ310に対する比較的大きい電力処理要求事項と比較すると無視することができることが分かる。回路の整定時間を速くするためには、比較的小さい値のキャパシタ314および比較的面積の広いフォトダイオードを使用して光電流を大きくすることが好ましく、それにより、さらに、雑音の危険性の低減が促進され、また、列データ線308上の漂遊容量すなわち寄生容量と結合した極めて低レベルの輝度での安定の危険性の低減が促進される。
【００４８】
第2のモードでは、ドライバ回路300は電圧で制御され、図1bに示す、光フィードバックのない従来技術による回路と同様の方法で動作する。第1の動作モードの場合と同様、第1および第2の選択線が1つに接続されるか、あるいは行ドライバ332によって直列にドライブされるが、列データ線308は、基準電流発生器324によってではなく、ピクセルの輝度を調整するべくプログラムが可能な電圧基準源によってドライブされる。この電圧源は、定電圧源を近似するべく内部抵抗が小さいことが好ましい。
【００４９】
この第2の動作モードでは、第1および第2の選択線306および307が起動状態になると、キャパシタ314が列データ線308に結合され、したがって基準電圧発生器が出力する電圧に充電される。OLED312による照射によってフォトダイオード316に流れる逆方向の微小電流は、電圧源の内部抵抗が小さいため、列データ線308上の電圧に対して実質的に何の効果も有していない。キャパシタ314が必要な電圧に充電されると、第1および第2の選択線306および307のアサートを解除することによってトランジスタ320および322がスイッチオフされるため、フォトダイオード316を介してキャパシタ314が放電することはない。この動作モードでは、一対のトランジスタ320および322は、事実上、図1bに示す回路のトランジスタ162の機能と同じ機能を実行している。
【００５０】
第3の動作モードでは、回路は、この場合もプログラム可能基準電圧源によってドライブされるが、第2の選択線は、第2の選択線が常に起動状態であるように(したがってトランジスタ322が常にオンであるように)制御され、かつ、OLED312がオンであるように制御される。この方法によれば、記憶キャパシタ314の両端にフォトダイオード316が接続されるため、回路は、上で説明した図2bの回路と実質的に同じように動作し、トランジスタ320は、図2bのトランジスタ260の機能を実行している。単純な実施形態の場合、第2の選択線307を単純に固定電圧源に接続し、それにより確実にこの第2の選択線307を常に起動状態にすることができる。しかしながら、トランジスタ322に必要なことは、放電に必要な十分な時間を確実にキャパシタ314に持たせるべく、十分に長い時間の間、トランジスタ322をオンすることだけであり、したがってこのモードでは、トランジスタ320による線302と308の間へのフォトダイオード316の接続を許容し、センサとして使用する際に、トランジスタ322をスイッチオフすることが依然として可能である。
【００５１】
この動作モードの一改善では、キャパシタ314の両端間にフォトダイオード316が接続されると、電圧自体ではなく、キャパシタ314の電荷がOLED312の見掛けの輝度を決定するため、キャパシタ314に所定の電荷を引き渡すべくプログラム可能基準電圧源を構成することができる。キャパシタを基準電圧に充電するのではなく、キャパシタ314に所定の電荷を引き渡すことにより、キャパシタの充電-電圧特性の非直線性の影響が小さくなる。
【００５２】
好ましい動作モードでは、ドライバ回路300は、回路へのOLED312の輝度を設定するためのピクセル照度データの書込みに先立って測定サイクルを提供するべく制御される。そのためには、行ドライバ回路332は、フォトダイオード316を測定回路328に接続するべく、第1および第2の選択線306および307を制御してトランジスタ322をスイッチオフし、かつ、トランジスタ320をスイッチオンし、また、制御線334によってスイッチ330を制御することが好ましく、それにより測定回路328は、フォトダイオード316の近傍の周辺光レベルを測定することができ、また、任意選択で追加タスクを実行し、例えば漏れ電流をチェックすることによってフォトダイオードが正しく機能しているかどうかをチェックすることができる。
【００５３】
測定回路は、フォトダイオード316を流れる光電流を測定するように構成することができ、あるいはフォトダイオードの照射が明るく、また、フォトダイオードがフォトセルとして動作し、かつ、測定回路328が電圧を測定する場合、フォトダイオードの光起電動作モードを使用することができる。光レベルの測値を使用して、OLED312または隣接するピクセルのOLEDの照度を決定することができ、あるいは、例えばドライブ回路またはOLED312の特性を決定することができる。しかしながら、詳細には、フォトダイオード316によって測定した光レベルを使用して、例えば、周辺光レベルを考慮するべく修正基準電流または電圧をピクセルに書き込むことにより、上で説明した、光フィードバックを備えた各モードでの動作に対するあらゆる外乱を補償することができる。
【００５４】
したがって、好ましい実施形態では、フォトダイオード316を使用した測定に先立ってOLED312がスイッチオフされる。上で説明した第3の動作モードの場合、1フレーム期間内に自動的にOLED312がスイッチオフされるが、第1および第2の動作モードの場合、暗レベル信号をピクセルに書き込むことによってOLEDをスイッチオフすることができる。
【００５５】
上で説明したモードでは、事実上、第1の選択線306が行選択線として動作し、一方、第2の選択線307が結合モードおよび列選択線として動作していることが分かる。したがって、選択された行に対して(ブラック書込み)-(測定)-(レベル書込み)サイクルを実施するためには、第1の選択線306が起動状態に保持され、かつ、書込みサイクルの間、第2の選択線307が起動状態から非起動状態へトグルされるか、あるいは測定サイクルの間、アサートが解除される。
【００５６】
次に図4を参照すると、光フィードバックが組み込まれたOLEDピクセルドライバ回路の2つの代替物理構造の略図が示されている(図面はスケール通りには描かれていない)。図4aはボトム放出構造400を示したものであり、また、図4bはトップエミッタ450を示したものである。
【００５７】
図4aでは、OLED構造406は、ガラス基板402上に多結晶シリコンドライバ回路404と隣り合わせに付着されている。ドライバ回路404はOLED構造406の一方の側にフォトダイオード408が組み込まれている。光410は、基板の底部(陽極)を介して放出されている。
【００５８】
図4bは、頂部(陰極)表面から光460を放出する代替構造450の断面を示したものである。ガラス基板452は、ドライバ回路からなる、フォトダイオード458を備えた第1の層454を支持している。ドライバ回路454の上にOLEDピクセル構造456が付着されている。層454と456の間にパッシベーション層すなわち停止層を設けることができる。多結晶シリコンあるいは非晶質シリコンではなく、(結晶質)シリコンを使用してドライバ回路を製造する場合、図4bに示すタイプの構造が必要であり、また、基板452はシリコン基板である。
【００５９】
図4aおよび4bに示す構造の場合、従来の手段によってピクセルドライバ回路を製造することができる。有機LEDは、EP 880303に記載されているような、重合体ベースの材料を付着させるためのインクジェット付着技法、あるいは微小分子材料を付着させるための蒸着技法のいずれかを使用して製造することができる。したがって、例えば、CMOSピクセルドライバ回路が予め製造されている従来のシリコン基板にOLED材料をインクジェット印刷することにより、図4bに示すタイプの構造を備えたいわゆるマイクロディスプレイを製造することができる。
【００６０】
図に示すドライバ回路の実施形態にはPMOSトランジスタが使用されているが、ドライバ回路は反転させることが可能であり、したがってNMOSトランジスタを使用することも可能であり、あるいは別法としてPMOSトランジスタとNMOSトランジスタを組み合わせて使用することもできる。これらのトランジスタは、ガラス基板またはプラスチック基板の上に非晶質シリコンまたは多結晶シリコンを使用して製造された薄膜トランジスタ(TFT)で構成することができ、あるいは従来のCMOS回路を使用することができる。他の実施形態では、WO 99/54936に記載されているようなプラスチックトランジスタが使用され、回路全体をプラスチックで製造することができるよう、フォトダイオードは逆バイアスOLEDからなっている。同様に、電界効果トランジスタを参照して回路を説明したが、バイポーラトランジスタを使用することも可能である。
【００６１】
以上、ディスプレイエレメントドライバ回路について、有機LEDをドライブするための用途を参照して説明したが、このディスプレイエレメントドライバ回路は、無機TFEL(薄膜エレクトロルミネセンス)ディスプレイ、シリコン上ヒ化ガリウムディスプレイ、多孔性シリコンディスプレイ、英国特許出願第0121077.2号に記載されているフォトルミネセンスクエンチングディスプレイ等、他のタイプのエレクトロルミネセンスディスプレイと共に使用することもできる。このドライバ回路の主要なアプリケーションは、アクティブマトリックスディスプレイに見出されるが、このドライバ回路は、セグメンテッドディスプレイおよびハイブリッドセミアクティブディスプレイなどの他のタイプのディスプレイと共に使用することもできる。
【００６２】
好ましい光センサは、TFT技術のPNダイオードあるいは結晶性シリコンのPINダイオードからなるフォトダイオードであるが、光電流が照度レベルに依存する特性を有していることを条件として、フォトレジスタ、感光性バイポーラトランジスタおよびFETなどの他の感光性デバイスを使用することもできる。
【００６３】
技術者には恐らく有効な他の多くの代替形態が思い描かれるものと思われるが、本発明は、上で説明した実施形態に何ら制限されないことを理解されたい。
【図面の簡単な説明】
【００６４】
【図１ａ】基本有機LED構造を示す図である。
【図１ｂ】典型的な電圧制御OLEDドライバ回路を示す図である。
【図２ａ】電流制御OLEDドライバ回路を示す図である。
【図２ｂ】従来技術による光フィードバックを備えた電圧制御OLEDドライバ回路を示す図である。
【図３】本発明の実施形態による有機LEDドライバ回路を示す図である。
【図４ａ】光フィードバックが組み込まれたドライバ回路を備えたOLEDディスプレイエレメントのデバイス構造の縦断面図である。
【図４ｂ】光フィードバックが組み込まれたドライバ回路を備えたOLEDディスプレイエレメントのデバイス構造の縦断面図である。
【符号の説明】
【００６５】
100、406  有機LEDの基本構造(OLED構造)
102  基板
104  陽極層
106  正孔輸送層
108  エレクトロルミネセンス層
110  陰極層
114、116  コンタクトワイヤ
118  電源
120、410、460  光
150、300  OLEDドライバ回路
152、202、302  接地母線(接地(GND)線、GND線)
154、204、304、326  VSS母線(電力線、VSS線、VSS接続)
156、216、254、312  有機LED(OLED、OLEDディスプレイエレメント)
158、212、256、310  ドライバトランジスタ
159  ゲート(ゲート接続、ゲートノード)
160、218、258、314  記憶キャパシタ
162、260  制御トランジスタ(スイッチトランジスタ)
164、206、306、307  行選択母線(行選択線、選択線)
166、210、308  列データ母線(列データ線)
200  電流制御ピクセルドライバ回路
208  反転行選択線
214、220、222、320、322  スイッチングトランジスタ
224、324  基準電流シンク(基準電流源、基準電流発生器、プロフラム可能基準電流発生器)
250  電圧制御ピクセルドライバ回路
252、318  光フィードバック(光フィードバック経路)
262  行導体
264  列導体
266、316、408、458  フォトダイオード
315、317  ノード
328  測定回路
330  スイッチ
332  行ドライバ回路
334  制御線
400  ボトム放出構造
402、452  ガラス基板
404  多結晶シリコンドライバ回路
450  トップエミッタ
454  第1の層(ドライバ回路)
456  OLEDピクセル構造(層)
【図１ａ】
2005507512.tif 000003
【図３】
2005507512.tif 000004
【国際公開パンフレット】
2005507512.tif 000005
2005507512.tif 000006
2005507512.tif 000007
2005507512.tif 000008
2005507512.tif 000009
2005507512.tif 000010
2005507512.tif 000011
2005507512.tif 000012
2005507512.tif 000013
2005507512.tif 000014
2005507512.tif 000015
2005507512.tif 000016
2005507512.tif 000017
2005507512.tif 000018
2005507512.tif 000019
2005507512.tif 000020
2005507512.tif 000021
2005507512.tif 000022
2005507512.tif 000023
2005507512.tif 000024
2005507512.tif 000025
2005507512.tif 000026
2005507512.tif 000027
2005507512.tif 000028
2005507512.tif 000029
2005507512.tif 000030
2005507512.tif 000031
2005507512.tif 000032
2005507512.tif 000033
【国際公開パンフレット（コレクトバージョン）】
2005507512.tif 000034
2005507512.tif 000035
【国際調査報告】
2005507512.tif 000036
2005507512.tif 000037
2005507512.tif 000038